(57)【特許請求の範囲】
【請求項１】
一または複数の機器を接続可能なモニタ装置であって、
前記一または複数の機器からの複数の再生信号のうち同じ機器からの再生信号の組み合わせを設定する組み合わせ設定手段と、
前記一または複数の機器のうちいずれかを指定する機器指定手段と、
前記組み合わせ設定手段により設定された組み合わせに基づいて前記機器指定手段により指定された機器からの複数の再生信号のうちいずれかを選択する再生信号選択手段と、
前記再生信号選択手段により選択された再生信号を表示する表示手段と、
前記一または複数の機器からの複数の再生信号のうち入力されている再生信号を判別する入力判別手段と、
前記組み合わせ設定手段により設定された組み合わせに基づいて、前記機器指定手段により指定された機器からの複数の再生信号のうち前記入力判別手段により判別された再生信号を前記表示手段に出力するように前記再生信号選択手段を制御する制御手段とを備え、
前記制御手段は、入力されている再生信号が他の再生信号に切換わったことを前記入力判別手段が判別した場合に前記組み合わせ設定手段により設定された組み合わせに基づいて前記他の再生信号が前記機器指定手段により指定された機器からの再生信号であるか否かを判定し、前記他の再生信号が前記機器指定手段により指定された機器からの再生信号である場合に前記他の再生信号を前記表示手段に出力するように前記再生信号選択手段を制御し、前記他の再生信号が前記機器指定手段により指定された機器からの再生信号でない場合に前記他の再生信号を前記表示手段に出力しないように前記再生信号選択手段を制御し、
前記一または複数の機器の各々が出力する複数の再生信号は、アナログ信号およびデジタル信号を含むことを特徴とするモニタ装置。
【請求項２】
一または複数の機器を接続可能なモニタ装置であって、
前記一または複数の機器からの複数の再生信号のうち同じ機器からの再生信号の組み合わせを設定する組み合わせ設定手段と、
前記一または複数の機器のうちいずれかを指定する機器指定手段と、
前記組み合わせ設定手段により設定された組み合わせに基づいて前記機器指定手段により指定された機器からの複数の再生信号のうちいずれかを選択する再生信号選択手段と、
前記再生信号選択手段により選択された再生信号を表示する表示手段と、
前記一または複数の機器からの複数の再生信号のうち入力されている再生信号を判別する入力判別手段と、
前記組み合わせ設定手段により設定された組み合わせに基づいて、前記機器指定手段により指定された機器からの複数の再生信号のうち前記入力判別手段により判別された再生信号を前記表示手段に出力するように前記再生信号選択手段を制御する制御手段とを備え、
前記制御手段は、入力されている再生信号が他の再生信号に切換わったことを前記入力判別手段が判別した場合に前記組み合わせ設定手段により設定された組み合わせに基づいて前記他の再生信号が前記機器指定手段により指定された機器からの再生信号であるか否かを判定し、前記他の再生信号が前記機器指定手段により指定された機器からの再生信号である場合に前記他の再生信号を前記表示手段に出力するように前記再生信号選択手段を制御し、前記他の再生信号が前記機器指定手段により指定された機器からの再生信号でない場合に前記他の再生信号を前記表示手段に出力しないように前記再生信号選択手段を制御しかつ前記他の再生信号を示す情報を表示手段に表示させ、
前記一または複数の機器の各々が出力する複数の再生信号は、アナログ信号およびデジタル信号を含むことを特徴とするモニタ装置。
【請求項３】
前記入力判別手段は、デジタル信号に含まれる識別信号に基づいて、入力されている再生信号を判別する請求項１または２記載のモニタ装置。
【請求項４】
複数のアナログ信号を受ける複数の第１の端子と、
複数のデジタル信号を受ける少なくとも１つの第２の端子とをさらに備え、
前記組み合わせ設定手段は、
前記複数の第１の端子の各々に入力されるアナログ信号と前記少なくとも１つの第２の端子に入力される複数のデジタル信号の各々との組み合わせを入力する入力手段と、
前記入力手段により入力された組み合わせを記憶する記憶手段とを含む請求項１〜３のいずれかに記載のモニタ装置。
【請求項５】
前記少なくとも１つの第２の端子に入力されるデジタル信号を復号する復号手段をさらに備え、
前記再生信号選択手段は、前記複数の第１の端子のいずれかに入力されるアナログ信号または前記復号手段により復号されたデジタル信号を選択する請求項４記載のモニタ装置。
【請求項６】
前記一または複数の機器からの複数の再生信号を識別するための識別情報を前記複数の再生信号に設定する識別情報設定手段をさらに備え、  前記組み合わせ設定手段は、前記識別情報設定手段により設定される識別情報を用いて同じ機器からの再生信号の組み合わせを設定する請求項１〜５のいずれかに記載のモニタ装置。
【請求項７】
前記識別情報設定手段は、前記複数の再生信号にそれぞれ文字列を識別情報として設定する請求項６記載のモニタ装置。
【発明の詳細な説明】
【０００１】
【発明の属する技術分野】
本発明は、一または複数の機器が接続可能なモニタ装置に関する。
【０００２】
【従来の技術】
近年、映像信号や音声信号の信号形式の多様化に伴い、複数の信号形式に対応した記録媒体、記録再生装置およびモニタ装置などが開発されている。なお、代表的な信号としては、アナログ信号およびデジタル信号が挙げられる。
【０００３】
例えば、記録媒体に関しては、デジタル信号およびアナログ信号のいずれに対しても記録および再生が可能なビデオテープとして、Ｄ−ＶＨＳ（ＤＡＴＡ  −  Ｖｉｄｅｏ  Ｈｏｍｅ  Ｓｙｓｔｅｍ：日本ビクター株式会社登録商標）テープが開発されている。また、記録再生装置に関しては、前述のＤ−ＶＨＳテープに対応してデジタル信号およびアナログ信号のいずれの信号であっても記録および再生が可能なビデオデッキが開発されている。
【０００４】
図１７は、ビデオテープの一部にデジタル信号とアナログ信号とが記録されている様子を示す模式図である。
【０００５】
図１７によれば、ビデオテープ７００に対しデジタル信号ＤＴとアナログ信号ＡＴが交互に記録されている。そして、ビデオテープ７００を上述のビデオデッキにより再生することにより、再生信号がビデオテープに記録されている信号形式に応じて出力される。
【０００６】
モニタ装置の分野においても、上記に示すようなビデオテープおよびビデオデッキに対応したテレビジョン受像機等が開発されている。
【０００７】
図１８は、デジタル信号およびアナログ信号に対応するモニタ装置の構成を示すブロック図である。
【０００８】
図１８において、モニタ装置４００は２本のケーブルＡＬ，ＤＬにより記録再生装置８００と接続されている。
【０００９】
ケーブルＡＬは、記録再生装置８００より出力されるアナログ信号ＡＴを伝達する。また、ケーブルＤＬは、記録再生装置８００より出力されるデジタル信号ＤＴを伝達する。
【００１０】
記録再生装置８００は、例えば上記に示すようなデジタル信号およびアナログ信号のいずれに対しても記録および再生する機能を有するビデオデッキである。記録再生装置８００がビデオデッキである場合、記録再生装置８００は、ビデオテープにモニタ装置４００から入力される信号を記録したり、ビデオテープに記録された情報を再生信号としてモニタ装置４００へ出力したりすることができる。
【００１１】
入力切換装置４１０は、モニタ装置４００に対し所定の動作を指示するためのものであり、一般にリモートコントローラとして備えられる。
【００１２】
モニタ装置４００は、デコーダ３０、入力選択装置４２０、アナログデジタル切換装置ＳＷ４、ＯＳＤ（Ｏｎ  Ｓｃｒｅｅｎ  Ｄｉｓｐｌａｙ）回路６０、映像処理回路７０、映像合成回路７１、映像出力回路７２、映像表示装置７３、音声処理回路８０、音声出力回路８１および音声出力装置８２を備える。
【００１３】
デコーダ３０は、デジタル端子ＤＰ４を有する。ここで、上述のケーブルＤＬを介してデジタル端子ＤＰ４より入力される記録再生装置８００からの再生信号は、デジタル信号である。デコーダ３０は、デジタル端子ＤＰ４より入力されるデジタル信号を復号化し、復号化されたアナログ信号をアナログデジタル切換装置ＳＷ４へ出力する。
【００１４】
入力選択装置４２０は、マイクロコンピュータにより構成されており、入力切換装置４１０からの指令信号により再生対象となる信号形式を選択し、選択した信号形式に基づき映像表示および音声出力ができるようにアナログデジタル切換装置ＳＷ４に指令する。
【００１５】
アナログデジタル切換装置ＳＷ４は、アナログ端子ＡＰ４およびアナログ端子ＤＰ５を有する。ここで、アナログ端子ＡＰ４より入力される再生信号はアナログ信号であり、アナログ端子ＤＰ５より入力される再生信号は上述のデコーダ３０より出力される複合化されたアナログ信号である。
【００１６】
アナログデジタル切換装置ＳＷ４は、アナログ端子ＡＰ４より入力されるアナログ信号またはアナログ端子ＤＰ５より入力されるアナログ信号のうちの１つの信号を上述の入力選択装置４２０の指令に基づき選択し、映像処理回路７０および音声処理回路８０へ出力する。
【００１７】
ここで、上記再生信号（アナログ信号およびデジタル信号）は映像信号および音声信号を含み、アナログデジタル切換装置ＳＷ４においては映像信号が映像処理回路７０へ出力され、音声信号が音声処理回路８０へ出力される。
【００１８】
ＯＳＤ回路６０は、映像表示装置７３の画面に表示された映像に文字等を重ねて表示するためにグラフィック信号を映像合成回路７１へ出力する。映像処理回路７０は、アナログデジタル切換装置ＳＷ４より入力される映像信号に所定の処理を行い、その映像信号を映像合成回路７１へ出力する。
【００１９】
映像合成回路７１は、上記ＯＳＤ回路６０より入力されるグラフィック信号と映像処理回路７０より入力される映像信号とを合成して、合成映像信号を映像出力回路７２へ出力する。なお、上記ＯＳＤ回路６０より入力されるグラフィック信号が入力されない場合は、映像処理回路７０より入力される映像信号のみが映像出力回路７２へ出力される。
【００２０】
映像出力回路７２は、入力された映像信号を映像表示装置７３へ出力する。映像表示装置７３は、ブラウン管ディスプレイ、液晶ディスプレイまたはプラズマディスプレイ等を含み、入力される映像信号に基づき映像表示を行う。上記、映像処理回路７０、映像合成回路７１、映像出力回路７２および映像表示装置７３が、映像表示系を構成する。
【００２１】
音声処理回路８０は、アナログデジタル切換装置ＳＷ４より入力される音声信号に所定の処理を行い、その音声信号を音声出力回路８１へ出力する。音声出力回路８１は、入力された音声信号を音声出力装置８２へ出力する。音声出力装置８２は、スピーカ等を含み、入力される音声信号に基づき音声出力を行う。上記、音声処理回路８０、音声出力回路８１および音声出力装置８２が音声出力系を構成する。
【００２２】
【発明が解決しようとする課題】
図１８の状態において、記録再生装置８００が、上述のビデオテープ７００に記録された情報を再生する場合のモニタ装置４００の動作を説明する。
【００２３】
ここで、ビデオテープ７００には初めにアナログ信号ＡＴにより映像情報および音声情報が記録されており、途中からデジタル信号ＤＴにより映像情報および音声情報が記録されているものとする。また、モニタ装置４００は自己がアナログ信号ＡＴによる再生信号を出力すると設定されているものとする。
【００２４】
初めに、記録再生装置８００より出力されるアナログ信号ＡＴは、ケーブルＡＬおよびアナログ端子ＡＰ４を介してアナログデジタル切換装置ＳＷ４へ入力される。
【００２５】
モニタ装置４００がアナログ信号ＡＴによる再生信号を出力すると認識している場合、アナログデジタル切換装置ＳＷ４はアナログ端子ＡＰ４より入力されるアナログ信号ＡＴを上記映像表示系および音声出力系へ出力する。そして、映像表示系および音声出力系へ出力されたアナログ信号ＡＴは、映像表示および音声出力される。
【００２６】
次に、ビデオテープ７００の記録内容の再生時にビデオテープ７００に記録された映像信号および音声信号がデジタル信号ＤＴに切換った場合について説明する。
【００２７】
このとき、記録再生装置８００は、ケーブルＤＬおよびデジタル端子ＤＰ４を介してデジタル信号ＤＴをデコーダ３０へ出力する。
【００２８】
デジタル信号ＤＴは、デコーダ３０により復号化されアナログ端子ＤＰ５を介してアナログデジタル切換装置ＳＷ４へ出力される。デコーダ３０により復号化されたアナログ信号が入力されたアナログデジタル切換装置ＳＷ４は、上記において、自己に入力される再生信号のうちアナログ端子ＡＰ４より入力されるアナログ信号ＡＴのみを映像処理回路７０および音声処理回路８０へ出力するように設定されているため、アナログ端子ＤＰ５に入力されるデコーダ３０により復号化されたアナログ信号を映像表示系および音声出力系へ出力しない。
【００２９】
そして、モニタ装置４００は、デジタル信号ＤＴによるビデオテープ７００からの映像信号および音声信号が入力されているにもかかわらず、デジタル信号ＤＴに基づく映像表示および音声出力の動作を行うことができなくなる。
【００３０】
このため、モニタ装置４００の視聴者は、突然ビデオテープ７００からの映像信号および音声信号に基づく再生情報を視聴することができなくなる。視聴者は、このようなモニタ装置４００の状態を認識することにより、ビデオテープ７００に記録されている映像情報および音声情報がアナログ信号ＡＴからデジタル信号ＤＴに切換ったと認識する。
【００３１】
そして、視聴者は、上述の入力切換装置４１０を用いて現在の再生対象信号がデジタル信号ＤＴである旨の指令信号ｋ１をモニタ装置４００へ出力する。
【００３２】
出力された指令信号ｋ１は入力選択装置４２０に入力される。指令信号ｋ１が入力された入力選択装置４２０は、現在の再生対象信号がデジタル信号ＤＴであると設定されたので、アナログ端子ＤＰ５より入力されるデコーダ３０により復号化されたアナログ信号を映像処理回路７０および音声処理回路８０へ出力する旨の指令信号ｋ２をアナログデジタル切換装置ＳＷ４へ出力する。そして、アナログデジタル切換装置ＳＷ４は、アナログ端子ＤＰ５より入力されるデコーダ３０により復号化されたアナログ信号を映像表示系および音声出力系へ出力し、これにより、デジタル信号ＤＴが、映像表示および音声出力される。
【００３３】
以上に示すモニタ装置４００によれば、視聴者は、ビデオテープ７００に基づく再生信号を視聴したい場合に、現在出力されている再生信号がアナログ信号であるか、またはデジタル信号であるかを認識しておかなければならない。そして、記録再生装置８００からの再生信号がアナログ信号からデジタル信号に切換った場合には、手動でアナログ信号とデジタル信号の切換作業を行わなければならないので、操作が煩雑である。
【００３４】
さらに、近年においては、１つのモニタ装置に対し複数の記録再生装置を接続することが行われている。上記に示すようなモニタ装置４００に対し複数の記録再生装置を接続する機能を付加した場合、複数の記録再生装置から出力される複数の再生信号のうち所望の再生信号をモニタ装置により視聴するためには、視聴者はそれぞれの記録再生装置より出力される複数の再生信号の信号形式を認識している必要がある。
【００３５】
本発明の目的は、使用者が特定の再生信号を表示すべき指示をすることなく、所望の機器からの再生信号に基づく映像表示を容易に得ることができるモニタ装置を提供することである。
【００３６】
【課題を解決するための手段】
（１）第１の発明に係るモニタ装置は、一または複数の機器を接続可能なモニタ装置であって、一または複数の機器からの複数の再生信号のうち同じ機器からの再生信号の組み合わせを設定する組み合わせ設定手段と、一または複数の機器のうちいずれかを指定する機器指定手段と、組み合わせ設定手段により設定された組み合わせに基づいて機器指定手段により指定された機器からの複数の再生信号のうちいずれかを選択する再生信号選択手段と、再生信号選択手段により選択された再生信号を表示する表示手段と、一または複数の機器からの複数の再生信号のうち入力されている再生信号を判別する入力判別手段と、組み合わせ設定手段により設定された組み合わせに基づいて、機器指定手段により指定された機器からの複数の再生信号のうち入力判別手段により判別された再生信号を表示手段に出力するように再生信号選択手段を制御する制御手段とを備え、制御手段は、入力されている再生信号が他の再生信号に切換わったことを入力判別手段が判別した場合に組み合わせ設定手段により設定された組み合わせに基づいて他の再生信号が機器指定手段により指定された機器からの再生信号であるか否かを判定し、他の再生信号が機器指定手段により指定された機器からの再生信号である場合に他の再生信号を表示手段に出力するように再生信号選択手段を制御し、他の再生信号が機器指定手段により指定された機器からの再生信号でない場合に他の再生信号を表示手段に出力しないように再生信号選択手段を制御し、一または複数の機器の各々が出力する複数の再生信号は、アナログ信号およびデジタル信号を含むものである。
【００３７】
本発明に係るモニタ装置においては、一または複数の機器からの複数の再生信号のうち同じ機器からの再生信号の組み合わせが組み合わせ設定手段により設定され、組み合わせ設定手段により設定された組み合わせに基づいて同じ機器からの複数の再生信号のうちいずれかが再生信号選択手段により選択され、再生信号選択手段により選択された再生信号が表示手段により表示される。
【００３８】
この場合、モニタ装置は、同じ機器からの再生信号の組み合わせを認識することができるので、使用者が指定した機器からの再生信号が同じ機器からの他の再生信号に切換った場合でも、切換った再生信号を自動的に表示することができる。したがって、使用者は、再生対象とすべき一の機器をモニタ装置に認識させるだけで、モニタ装置に対し特定の再生信号を表示すべき指示をすることなく、所望の機器からの再生信号に基づく映像表示を容易に得ることができる。
【００３９】
使用者は、機器指定手段により一または複数の機器のうち再生対象とすべき所望の機器を指定することができる。組み合わせ設定手段により設定された組み合わせに基づいて機器指定手段により選択された機器からの複数の再生信号が、再生信号選択手段により選択される。したがって、使用者により指定された機器からの再生信号が同じ機器からの他の再生信号に切換った場合でも、切換った再生信号を自動的に表示することができる。
【００４０】
一または複数の機器からの複数の再生信号のうち入力されている再生信号が入力判別手段により判別され、組み合わせ設定手段により設定された組み合わせに基づいて、機器指定手段により指定された機器からの複数の再生信号のうち入力判別手段により判別された再生信号を表示手段に出力するように再生信号選択手段が制御手段により制御される。
【００４１】
これにより、使用者により指定された機器から入力されている再生信号が同じ機器からの他の再生信号に切換った場合に、引き続き同じ機器からの再生信号に基づく映像表示を得ることができる。
【００４２】
入力されている再生信号が他の再生信号に切換わったことを入力判別手段が判別した場合に、組み合わせ設定手段により設定された組み合わせに基づいて他の再生信号が機器指定手段により指定された機器からの再生信号であるか否かが制御手段により判定される。そして、他の再生信号が機器指定手段により指定された機器からの再生信号である場合に、他の再生信号を表示手段に出力するように再生信号選択手段が制御手段により制御される。また、他の再生信号が機器指定手段により指定された機器からの再生信号でない場合に、他の再生信号を表示手段に出力しないように再生信号選択手段が制御手段により制御される。
【００４３】
これにより、使用者により指定された機器から入力されている再生信号が同じ機器からの他の再生信号に切換った場合に、使用者がモニタ装置に対し特定の再生信号を表示すべき指示をすることなく、所望の再生信号に基づく映像表示を得ることができる。また、使用者により指定された機器から入力されている再生信号が使用者により指定されていない機器からの他の再生信号に切換った場合には、他の再生信号に基づく映像表示は行われない。すなわち、使用者は、自らが指定した機器からの再生信号に基づく映像表示のみを得ることができる。
【００４４】
一または複数の機器の各々は、異なる信号形式の複数の再生信号を出力してもよい。この場合、異なる信号形式の複数の再生信号が、一または複数の機器の各々により出力される。これにより、モニタ装置は、複数の信号形式に基づく映像表示を行う。
【００４５】
異なる信号形式の複数の再生信号は、アナログ信号およびデジタル信号を含んでもよい。この場合、モニタ装置は、アナログ信号およびデジタル信号に基づく映像表示を行う。
【００４６】
（２）第２の発明に係るモニタ装置は、一または複数の機器を接続可能なモニタ装置であって、一または複数の機器からの複数の再生信号のうち同じ機器からの再生信号の組み合わせを設定する組み合わせ設定手段と、一または複数の機器のうちいずれかを指定する機器指定手段と、組み合わせ設定手段により設定された組み合わせに基づいて機器指定手段により指定された機器からの複数の再生信号のうちいずれかを選択する再生信号選択手段と、再生信号選択手段により選択された再生信号を表示する表示手段と、一または複数の機器からの複数の再生信号のうち入力されている再生信号を判別する入力判別手段と、組み合わせ設定手段により設定された組み合わせに基づいて、機器指定手段により指定された機器からの複数の再生信号のうち入力判別手段により判別された再生信号を表示手段に出力するように再生信号選択手段を制御する制御手段とを備え、制御手段は、入力されている再生信号が他の再生信号に切換わったことを入力判別手段が判別した場合に組み合わせ設定手段により設定された組み合わせに基づいて他の再生信号が機器指定手段により指定された機器からの再生信号であるか否かを判定し、他の再生信号が機器指定手段により指定された機器からの再生信号である場合に他の再生信号を表示手段に出力するように再生信号選択手段を制御し、他の再生信号が機器指定手段により指定された機器からの再生信号でない場合に他の再生信号を表示手段に出力しないように再生信号選択手段を制御しかつ他の再生信号を示す情報を表示手段に表示させ、一または複数の機器の各々が出力する複数の再生信号は、アナログ信号およびデジタル信号を含むものである。
【００４７】
本発明に係るモニタ装置においては、一または複数の機器からの複数の再生信号のうち同じ機器からの再生信号の組み合わせが組み合わせ設定手段により設定され、組み合わせ設定手段により設定された組み合わせに基づいて同じ機器からの複数の再生信号のうちいずれかが再生信号選択手段により選択され、再生信号選択手段により選択された再生信号が表示手段により表示される。
【００４８】
この場合、モニタ装置は、同じ機器からの再生信号の組み合わせを認識することができるので、使用者が指定した機器からの再生信号が同じ機器からの他の再生信号に切換った場合でも、切換った再生信号を自動的に表示することができる。したがって、使用者は、再生対象とすべき一の機器をモニタ装置に認識させるだけで、モニタ装置に対し特定の再生信号を表示すべき指示をすることなく、所望の機器からの再生信号に基づく映像表示を容易に得ることができる。
【００４９】
使用者は、機器指定手段により一または複数の機器のうち再生対象とすべき所望の機器を指定することができる。組み合わせ設定手段により設定された組み合わせに基づいて機器指定手段により指定された機器からの複数の再生信号が、再生信号選択手段により選択される。したがって、使用者により指定された機器からの再生信号が同じ機器からの他の再生信号に切換った場合でも、切換った再生信号を自動的に表示することができる。
【００５０】
一または複数の機器からの複数の再生信号のうち入力されている再生信号が入力判別手段により判別され、組み合わせ設定手段により設定された組み合わせに基づいて、機器指定手段により指定された機器からの複数の再生信号のうち入力判別手段により判別された再生信号を表示手段に出力するように再生信号選択手段が制御手段により制御される。
【００５１】
これにより、使用者により指定された機器から入力されている再生信号が同じ機器からの他の再生信号に切換った場合に、引き続き同じ機器からの再生信号に基づく映像表示を得ることができる。
【００５２】
入力されている再生信号が他の再生信号に切換わったことを入力判別手段が判別した場合に、組み合わせ設定手段により設定された組み合わせに基づいて他の再生信号が機器指定手段により指定された機器からの再生信号であるか否かが制御手段により判定される。そして、他の再生信号が機器指定手段により指定された機器からの再生信号である場合に、他の再生信号を表示手段に出力するように再生信号選択手段が制御手段により制御される。また、他の再生信号が機器指定手段により指定された機器からの再生信号でない場合に、他の再生信号を表示手段に出力しないように再生信号選択手段が制御手段により制御され、入力されている再生信号を示す情報が制御手段により表示手段に表示される。
【００５３】
これにより、使用者により指定された機器から入力されている再生信号が同じ機器からの他の再生信号に切換った場合に、使用者がモニタ装置に対し特定の再生信号を表示すべき指示をすることなく、所望の再生信号に基づく映像表示を得ることができる。また、使用者により指定された機器から入力されている再生信号が使用者により指定されていない機器からの他の再生信号に切換った場合には、他の再生信号に基づく映像表示は行われないが、他の機器からの再生信号が入力されていることが使用者に知らされる。すなわち、使用者は、自らが指定した機器からの再生信号に基づく映像表示のみを得ることができるとともに、自らが指定していない機器からの再生信号が入力されていることを認識することができる。
【００５４】
一または複数の機器の各々は、異なる信号形式の複数の再生信号を出力してもよい。この場合、異なる信号形式の複数の再生信号が、一または複数の機器の各々により出力される。これにより、モニタ装置は、複数の信号形式に基づく映像表示を行う。
【００５５】
異なる信号形式の複数の再生信号は、アナログ信号およびデジタル信号を含んでもよい。この場合、モニタ装置は、アナログ信号およびデジタル信号に基づく映像表示を行う。
【００６６】
（３）入力判別手段は、デジタル信号に含まれる識別信号に基づいて、入力されている再生信号を判別してもよい。この場合、入力されている再生信号が、デジタル信号に含まれる識別信号に基づいて入力判別手段により判別される。
【００６７】
（４）モニタ装置は、複数のアナログ信号を受ける複数の第１の端子と、複数のデジタル信号を受ける少なくとも１つの第２の端子とをさらに備え、組み合わせ設定手段は、複数の第１の端子の各々に入力されるアナログ信号と少なくとも１つの第２の端子に入力される複数のデジタル信号の各々との組み合わせを入力する入力手段と、入力手段により入力された組み合わせを記憶する記憶手段とを含んでもよい。
【００６８】
この場合、複数のアナログ信号が複数の第１の端子により受けられ、複数のデジタル信号が少なくとも１つの第２の端子により受けられる。組み合わせ設定手段においては、複数の第１の端子の各々に入力されるアナログ信号と少なくとも１つの第２の端子に入力される複数のデジタル信号の各々との組み合わせが入力手段により入力され、入力手段により入力された組み合わせが記憶手段により記憶される。
【００６９】
これにより、使用者は、同じ機器より入力されるアナログ信号およびデジタル信号の組み合わせを、アナログ信号用の第１の端子とデジタル信号との組み合わせにより、モニタ装置に記憶させることができる。
【００７０】
（５）モニタ装置は、少なくとも１つの第２の端子に入力されるデジタル信号を復号する復号手段をさらに備え、再生信号選択手段は、複数の第１の端子のいずれかに入力されるアナログ信号または復号手段により復号されたデジタル信号を選択してもよい。
【００７１】
この場合、少なくとも１つの第２の端子に入力されるデジタル信号が復号手段により復号される。また、複数の第１の端子のいずれかに入力されるアナログ信号または復号手段により復号されたデジタル信号が、再生信号選択手段により選択される。
【００７２】
（６）モニタ装置は、一または複数の機器からの複数の再生信号を識別するための識別情報を複数の再生信号に設定する識別情報設定手段をさらに備え、組み合わせ設定手段は、識別情報設定手段により設定される識別情報を用いて同じ機器からの再生信号の組み合わせを設定してもよい。
【００７３】
この場合、使用者は、識別情報設定手段により一または複数の機器からの複数の再生信号を識別するための識別情報を複数の再生信号に設定することができる。そして、同じ機器からの再生信号の組み合わせが識別情報設定手段により設定される識別情報を用いて組み合わせ設定手段により設定される。
【００７４】
これにより、使用者は、モニタ装置に対し同じ機器からの再生信号の組み合わせを識別情報に基づいて容易に設定することができる。
【００７５】
（７）識別情報設定手段は、複数の再生信号にそれぞれ文字列を識別情報として設定してもよい。
【００７６】
この場合、複数の再生信号にそれぞれ文字列が識別情報として識別情報設定手段により設定される。
【００７７】
これにより、使用者は、同じ機器からの再生信号の組み合わせを文字列からなる識別情報に基づいて容易に設定することができる。
【００７８】
【発明の実施の形態】
以下、本発明に係る実施の形態を図１〜図１４に基づき説明する。
【００７９】
図１は、本発明の一実施の形態に係るモニタ装置の構成および複数の記録再生装置との一接続例を示すブロック図である。このモニタ装置は、例えばテレビジョン受像機に用いられる。
【００８０】
図１において、モニタ装置１００は記録再生装置２００および記録再生装置３００と接続されており、入力切換装置１０および接続先設定部５０より所定の指令を受けることにより後述の動作を行う。
【００８１】
記録再生装置２００，３００は、例えばビデオデッキである。記録再生装置２００，３００がビデオデッキであった場合、記録再生装置２００，３００は、ビデオテープにモニタ装置１００から入力される情報を記録したり、ビデオテープに記録された情報を再生信号としてモニタ装置１００へ出力したりすることができる。
【００８２】
入力切換装置１０は、モニタ装置１００に対し所定の動作を指示するためのものであり、一般にリモートコントローラとして備えられる。なお、入力切換装置１０を操作することにより、視聴者はモニタ装置１００に接続された複数の記録再生装置のうち１つを再生対象機器として指定することが可能となる。
【００８３】
接続先設定部５０は、入力切換装置１０と同じリモートコントローラとして備えられる。なお、接続先設定部５０により記録再生装置と端子との対応関係および記録再生装置と再生信号との対応関係等が設定される。各種設定方法については後述する。
【００８４】
モニタ装置１００は、入力判別装置２０、アナログ切換装置ＳＷ１、デジタル切換装置ＳＷ２、アナログデジタル切換装置ＳＷ３、デコーダ３０、記憶部４０、ＯＳＤ（Ｏｎ  Ｓｃｒｅｅｎ  Ｄｉｓｐｌａｙ）回路６０、映像処理回路７０、映像合成回路７１、映像出力回路７２、映像表示装置７３、音声処理回路８０、音声出力回路８１および音声出力装置８２を備える。
【００８５】
入力判別装置２０は、ＣＰＵ（中央演算処理装置）により構成されており、再生対象機器からの再生信号を選択して、モニタ装置１００がその再生信号に基づき映像表示および音声出力できるように後述の各種処理を行う。
【００８６】
アナログ切換装置ＳＷ１は、アナログ端子ＡＰ１およびアナログ端子ＡＰ２を有する。アナログ切換装置ＳＷ１は、アナログ端子ＡＰ１にケーブルを介して接続されている記録再生装置２００およびアナログ端子ＡＰ２にケーブルを介して接続されている記録再生装置３００より入力される再生信号のうちのいずれか一方をアナログデジタル切換装置ＳＷ３へ出力する。なお、この場合の再生信号は、アナログ信号であり、映像信号および音声信号を含む。
【００８７】
デジタル切換装置ＳＷ２は、デジタル端子ＤＰ１およびデジタル端子ＤＰ２を有する。デジタル切換装置ＳＷ２は、デジタル端子ＤＰ１にケーブルを介して接続されている記録再生装置２００およびデジタル端子ＤＰ２にケーブルを介して接続されている記録再生装置３００により入力される再生信号のうちのいずれか一方をデコーダ３０へ出力するものである。なお、この場合の再生信号は、デジタル信号であり、映像信号および音声信号を含む。
【００８８】
また、デジタル切換装置ＳＷ２は、後述のデジタル信号ＤＤ１，ＤＤ２の付帯情報を取り出して、付帯情報の内容を示す信号ｒ２として入力判別装置２０へ出力する。なお、本実施の形態の説明では、付帯情報をデジタル切換装置ＳＷ２が抜き取ると説明するが、この付帯情報の抜き取りは後述するデコーダ３０が行ってもよい。
【００８９】
アナログデジタル切換装置ＳＷ３は、アナログポートＡＰ３およびアナログポートＤＰ３を有する。アナログデジタル切換装置ＳＷ３には、アナログポートＡＰ３よりアナログ信号が入力され、またアナログポートＤＰ３より後述のデコーダ３０で複合化されたアナログ信号が入力される。そこで、アナログデジタル切換装置ＳＷ３は、アナログポートＡＰ３より入力されるアナログ信号またはアナログポートＤＰ３より入力される後述のデコーダ３０で複合化されたアナログ信号のうちのいずれか一方を上記入力判別装置２０の指令に基づき選択する。そして、アナログデジタル切換装置ＳＷ３は、選択した再生信号に含まれる映像信号を映像処理回路７０へ出力し、選択した再生信号に含まれる音声信号を音声処理回路８０へ出力する。
【００９０】
デコーダ３０は、デジタル切換装置ＳＷ２より入力されるデジタル信号を復号化し、復号化されたアナログ信号をアナログデジタル切換装置ＳＷ３へ出力する。
【００９１】
記憶部４０は、モニタ装置１００に接続された複数の記録再生装置のうち現在の再生対象機器となる記録再生装置を記憶し、接続された記録再生装置が接続している端子や出力する再生信号を接続機器対応テーブルとして記憶し、本発明に係る接続先設定プログラムを記憶するものである。なお、接続機器対応テーブルの詳細については後述する。
【００９２】
ＯＳＤ回路６０は、映像表示装置７３の画面に表示された映像に文字等を重ねて表示するためにグラフィック信号を映像合成回路７１へ出力する。映像処理回路７０は、アナログデジタル切換装置ＳＷ３より入力される映像信号に所定の処理を行い、その映像信号を映像合成回路７１へ出力する。
【００９３】
映像合成回路７１は、上記ＯＳＤ回路６０より入力されるグラフィック信号と映像処理回路７０より入力される映像信号とを合成して、合成映像信号を映像出力回路７２へ出力する。なお、上記ＯＳＤ回路６０より入力されるグラフィック信号が入力されない場合は、映像処理回路７０より入力される映像信号のみが映像出力回路７２へ出力される。
【００９４】
映像出力回路７２は、入力された映像信号を映像表示装置７３へ出力する。映像表示装置７３は、ブラウン管ディスプレイや液晶ディスプレイまたはプラズマディスプレイ等を含み、入力される映像信号に基づき映像表示を行う。上記、映像処理回路７０、映像合成回路７１、映像出力回路７２および映像表示装置７３が、映像表示系を構成する。
【００９５】
音声処理回路８０は、アナログデジタル切換装置ＳＷ３より入力される音声信号に所定の処理を行い、その音声信号を音声出力回路８１へ出力する。音声出力回路８１は、入力された音声信号を音声出力装置８２へ出力する。音声出力装置８２は、スピーカ等を含み、入力される音声信号に基づき音声出力を行う。上記、音声処理回路８０、音声出力回路８１および音声出力装置８２が音声出力系を構成する。
【００９６】
以下に、本発明の一実施の形態に係るモニタ装置１００の動作を図１〜図５に基づき説明する。図２〜図５は、再生信号の信号経路とそれに基づく画像表示の一例を示す模式図である。
【００９７】
デジタル信号ＤＤ１，ＤＤ２は、それらの発生源を識別するための信号を含む。また、単一のデジタル端子に複数デジタル信号を入力することができる。図１の例では、デジタル端子ＤＰ１，ＤＰ２にデジタル信号ＤＤ１，ＤＤ２がそれぞれ入力されているが、デジタル端子ＤＰ１，ＤＰ２は電気的に共通に接続されている。デジタル信号ＤＤ１，ＤＤ２は、それらに含まれる信号により識別される。一方、アナログ信号ＡＤ１，ＡＤ２は、それらの発生源を識別するための信号を含まないため、アナログ信号ＡＤ１，ＡＤ２が入力されるアナログ端子ＡＰ１，ＡＰ２によりアナログ信号ＡＤ１，ＡＤ２の各々を識別する必要がある。
【００９８】
以下の説明において、モニタ装置１００は、記録再生装置２００，３００からのアナログ信号ＡＤ１，ＡＤ２をそれらが入力されるアナログ端子ＡＰ１，ＡＰ２により識別し、記録再生装置２００，３００からのデジタル信号ＤＤ１，ＤＤ２をそれらに含まれる信号により識別する。なお、この識別は、モニタ装置１００内部の入力判別装置２０が接続機器と入力される再生信号との対応関係が設定された後述の接続機器対応テーブルを参照することにより行われる。
【００９９】
なお、接続機器対応テーブルによれば、記録再生装置２００は、アナログ端子ＡＰ１を通じてアナログ信号ＡＤ１をモニタ装置１００に出力する接続機器またはデジタル信号ＤＤ１をモニタ装置１００に出力する接続機器として設定されており、記録再生装置３００は、アナログ端子ＡＰ２を通じてアナログ信号ＡＤ２をモニタ装置１００に出力する接続機器またはデジタル信号ＤＤ２をモニタ装置１００に出力する接続機器として設定されている。
【０１００】
図２において、モニタ装置１００は接続された記録再生装置２００，３００のうち、記録再生装置２００より出力される再生信号に基づき映像表示および音声出力をしている。なお、図２によれば、モニタ装置１００はデジタル信号ＤＤ１に基づく風景映像を表示している。
【０１０１】
このときのモニタ装置１００内部の動作を図１に基づき説明する。記録再生装置２００が出力するデジタル信号ＤＤ１は、デジタル切換装置ＳＷ２に入力され、さらにデジタル切換装置ＳＷ２よりデコーダ３０へ出力される。その後、デジタル信号ＤＤ１は、デコーダ３０よりアナログ変換された後アナログデジタル切換装置ＳＷ３へ出力され、さらにアナログデジタル切換装置ＳＷ３により映像信号と音声信号とに分けられて映像表示系および音声出力系へ出力される。映像表示系において、映像信号は、上述の映像処理回路７０、映像合成回路７１、映像出力回路７２および映像表示装置７３を通じて映像表示される。音声信号系において、音声信号は、音声処理回路８０、音声出力回路８１および音声出力装置８２を通じて音声出力される。
【０１０２】
なお、上記動作時において、デジタル切換装置ＳＷ２は、入力判別装置２０へデジタル信号ＤＤ１の付帯情報の内容を示す信号ｒ２を出力している。このとき、自己の再生対象機器が記録再生装置２００であるという情報が入力切換装置１０により既に設定されているものとする。これにより、入力判別装置２０は、付帯情報の内容を示す信号ｒ２および記憶部４０を参照することで得られる自己の再生対象機器が記録再生装置２００であるという情報に基づいてデジタル信号ＤＤ１に基づく映像表示および音声出力を行うべきであると認識する。そして、入力判別装置２０は、デジタル切換装置ＳＷ２に対してデジタル信号ＤＤ１を出力する旨の指令信号ｎ３を出力し、アナログデジタル切換装置ＳＷ３には、アナログポートＤＰ３からの入力を出力する旨の指令信号ｎ４を出力する。
【０１０３】
ここで、記録再生装置２００より出力される再生信号がアナログ信号ＡＤ１に切換わる場合を想定する。この場合、モニタ装置１００は、記録再生装置２００からの再生信号がデジタル信号ＤＤ１からアナログ信号ＡＤ１に切換ったことを認識する。そして、モニタ装置１００は、映像表示および音声出力をアナログ信号ＡＤ１に基づいて行うように再生信号の出力経路を切換える。図３によれば、モニタ装置１００はアナログ信号ＡＤ１に基づく教育映像を表示している。
【０１０４】
このときのモニタ装置１００内部の動作を図１に基づき説明する。入力判別装置２０は、デジタル切換装置ＳＷ２より入力されるデジタル信号ＤＤ１の付帯情報の内容を示す信号ｒ２が途切れたことを認識する。一方、アナログ切換装置ＳＷ１は、自己のアナログ端子ＡＰ１にアナログ信号ＡＤ１の入力があることを示す信号ｒ１を入力判別装置２０へ出力する。信号ｒ１が入力された入力判別装置２０は、現在の再生対象機器が記録再生装置２００であることを示す指令信号ｎ５を記憶部４０へ出力する。これにより、記憶部４０は、後述の接続機器対応テーブルにより決定されている再生対象機器と再生信号との関係を示す信号ｒ３を入力判別装置２０へ出力する。そして、入力判別装置２０は、アナログ端子ＡＰ１に入力されているアナログ信号ＡＤ１が現在の再生対象機器である記録再生装置２００からの再生信号であると判別し、アナログ信号ＡＤ１をアナログデジタル切換装置ＳＷ３へ出力するように指令信号ｎ２をアナログ切換装置ＳＷ１へ出力する。また、入力判別装置２０は、アナログポートＡＰ３に入力されるアナログ信号を映像表示系および音声出力系へ出力するように指令信号ｎ４をアナログデジタル切換装置ＳＷ３へ出力する。
【０１０５】
上記の説明では、入力判別装置２０は、デジタル信号ＤＤ１が無くなったことを、デジタル信号ＤＤ１の付帯情報の内容を示す信号ｒ２の有無で判断している。しかしながら、デジタル信号ＤＤ１の付帯情報に「記録再生装置２００の出力がデジタル信号の信号形式ではなくなった」もしくは「記録再生装置２００の出力がアナログ信号の信号形式になった」という情報を含ませることにより、入力判別装置２０は、付帯情報の内容を示す信号ｒ２に基づいてアナログ端子ＡＰ１へ入力されているアナログ信号ＡＤ１を出力するように指令信号ｎ２，ｎ３，ｎ４を切換えてもよい。
【０１０６】
上記動作により、アナログ信号ＡＤ１は、アナログ切換装置ＳＷ１とアナログデジタル切換装置ＳＷ３とを通じて映像表示系および音声出力系へ出力される。映像表示系におけるアナログ信号ＡＤ１の映像信号およびアナログ信号ＡＤ１の音声信号系における音声信号の出力経路は上述の通りである。
【０１０７】
次に、上記図３の状態において、記録再生装置２００より出力される再生信号がアナログ信号およびデジタル信号共に途切れ、記録再生装置３００より再生信号が入力される場合を想定する。モニタ装置１００は、記録再生装置２００より入力される再生信号が無いことを認識する。そして、モニタ装置１００の表示状態は、図４に示すようにブラックアウトまたはノイズによる砂嵐のような状態となる。
【０１０８】
このときのモニタ装置１００内部の動作を図１に基づき説明する。アナログ切換装置ＳＷ１は、自己のアナログ端子ＡＰ１にアナログ信号ＡＤ１の入力が途切れ、自己のアナログ端子ＡＰ２にアナログ信号ＡＤ２の入力があることを示す信号ｒ１を入力判別装置２０へ出力する。
【０１０９】
信号ｒ１が入力された入力判別装置２０は、現在の再生対象機器が記録再生装置２００であることを示す指令信号ｎ５を記憶部４０へ出力する。これにより、記憶部４０は、後述の接続機器対応テーブルにより決定されている再生対象機器と再生信号との関係を示す信号ｒ３を入力判別装置２０へ出力する。
【０１１０】
信号ｒ３が入力された入力判別装置２０は、記録再生装置２００からの再生信号としてアナログ信号ＡＤ１およびデジタル信号ＤＤ１のいずれもが入力されていないことを認識し、アナログ端子ＡＰ２より入力されるアナログ信号ＡＤ２が記録再生装置２００により出力された信号でないことを認識する。これにより、入力判別装置２０は、アナログ切換装置ＳＷ１およびアナログデジタル切換装置ＳＷ３のいずれに対しても上述の指令信号ｎ２，ｎ４の出力を行わない。そのため、モニタ装置１００の映像表示系および音声出力系には、再生信号が入力されない。なお、モニタ装置１００の再生対象機器を変更する場合は、入力切換装置１０より再生対象機器を変更する指令信号ｎ１を入力することが必要となる。
【０１１１】
また、モニタ装置１００は、上記のブラックアウトまたはノイズによる砂嵐のような画面になった場合に、予め用意された特定の画面を表示してもよい。
【０１１２】
さらに、モニタ装置１００は、アナログ端子ＡＰ２にアナログ信号ＡＤ２が入力されていることを、記録再生装置３００からのデジタル信号ＤＤ２の付帯情報に基づいて推定してもよい。
【０１１３】
上記図４の状態において、視聴者が記録再生装置３００からの再生信号に基づく映像および音声を視聴するために、上記入力切換装置１０により「現在の再生対象機器を記録再生装置３００に変更する」という旨の指令信号がモニタ装置１００に入力された場合を想定する。
【０１１４】
視聴者の再生対象機器を記録再生装置３００に変更する旨の指令信号の入力により、モニタ装置１００は、図５に示すように、記録再生装置３００の再生信号であるアナログ信号ＡＤ２に基づく映像表示および音声出力を行う。図５によれば、モニタ装置１００は、歴史映像を表示している。
【０１１５】
このときの入力切換装置１０およびモニタ装置１００内部の動作を図１に基づき説明する。入力切換装置１０は、視聴者の操作により「現在の再生対象機器を記録再生装置３００に変更する」という旨の指令信号ｎ１をモニタ装置１００の入力判別装置２０へ送信する。これにより、入力判別装置２０は、指令信号ｎ１により現在の再生対象機器が記録再生装置３００であると設定され、現在の再生対象機器が記録再生装置３００であることを示す指令信号ｎ５を記憶部４０へ出力する。これにより、記憶部４０は、後述の接続機器対応テーブルにより決定されている再生対象機器と再生信号との関係を示す信号ｒ３を入力判別装置２０へ出力する。
【０１１６】
信号ｒ３が入力された入力判別装置２０は、アナログ切換装置ＳＷ１のアナログ端子ＡＰ２に入力されているアナログ信号ＡＤ２が、現在の再生対象機器である記録再生装置３００からの再生信号であることを判別し、アナログ信号ＡＤ２をアナログデジタル切換装置ＳＷ３へ出力するように指令信号ｎ２をアナログ切換装置ＳＷ１へ出力する。また、入力判別装置２０は、アナログポートＡＰ３に入力されるアナログ信号ＡＤ２が映像表示系および音声出力系へ出力されるように指令信号ｎ４をアナログデジタル切換装置ＳＷ３へ出力する。
【０１１７】
上記動作により、アナログ信号ＡＤ２は、アナログ切換装置ＳＷ１とアナログデジタル切換装置ＳＷ３とを通じて映像表示系および音声出力系へ出力される。映像表示系における映像信号および音声信号系における音声信号の出力経路は上述の通りである。
【０１１８】
図４において、記録再生装置３００からの再生信号がデジタル信号ＤＤ２によるものであった場合、モニタ装置１００は、図５に示すアナログ信号ＡＤ２に基づく映像表示および音声出力の場合と同様に、デジタル信号ＤＤ２に基づく映像表示および音声出力を行う。
【０１１９】
このように本実施の形態では、現在の再生対象機器として選択されている接続機器からの一の信号形式の再生信号の入力状態が同じ接続機器からの他の信号形式の再生信号の入力状態に切換わった場合には、一の信号形式の再生信号に基づく映像表示および音声出力が他の信号形式の再生信号に基づく映像表示および音声出力に自動的に切換えられる。一方、現在の再生対象機器として選択されている接続機器からの再生信号の入力状態が他の接続機器からの再生信号の入力状態に切換わった場合には、他の接続機器からの再生信号に基づく映像表示および音声出力は行われず、視聴者の操作により他の接続機器が現在の再生対象機器として選択された後に、他の接続機器からの再生信号に基づく映像表示および音声出力が行われる。すなわち、本実施の形態では、視聴者が再生対象機器として選択していない接続機器からの再生信号に基づく映像表示および音声出力は行わない。
【０１２０】
以下に、上述の接続機器対応テーブルについて図６および図７に基づき説明する。
【０１２１】
図６は、記憶部４０に記憶される接続機器対応テーブルの一例を示す図である。
【０１２２】
図６に示す接続機器対応テーブルにおいては、接続機器情報、アナログ信号が入力されるアナログ端子およびデジタル信号の対応関係が設定されている。なお、接続機器情報とは、複数の接続機器を識別するためのものである。ここでは、記録再生装置２００に対応する接続機器情報がＲ１として表され、記録再生装置３００に対応する接続機器情報がＲ２として表されている。
【０１２３】
図６によれば、記録再生装置２００より出力される再生信号は、モニタ装置１００がアナログ端子ＡＰ１より入力するアナログ信号ＡＤ１またはモニタ装置１００が入力するデジタル信号ＤＤ１のいずれかである。また、記録再生装置３００より出力される再生信号は、モニタ装置１００がアナログ端子ＡＰ２より入力するアナログ信号ＡＤ２またはモニタ装置１００が入力するデジタル信号ＤＤ２のいずれかである。すなわち、図６の接続機器対応テーブルは、アナログ端子ＡＰ１に入力されるアナログ信号ＡＤ１およびデジタル信号ＤＤ１が接続機器情報Ｒ１で示される同じ接続機器からの再生信号であり、アナログ端子ＡＰ２に入力されるアナログ信号ＡＤ２およびデジタル信号ＤＤ２が接続機器情報Ｒ２で示される同じ接続機器からの再生信号であることを意味している。上述のように、入力判別装置２０は接続機器対応テーブルを参照して再生信号の切換処理を行っている。
【０１２４】
次に、上記接続機器対応テーブルの設定方法の一例について説明する。なお、図６に示す接続機器対応テーブルを記憶部４０に入力する手段がある場合は、接続機器対応テーブルの設定方法は、以下の方法に限られない。
【０１２５】
接続機器対応テーブルの設定は、モニタ装置１００の視聴者が接続先設定部５０を操作することにより行われる。
【０１２６】
図７は、接続機器と再生信号との対応関係を設定する場合の接続機器設定画面の一例を示す図である。視聴者は、図７に示す接続機器設定画面を見て接続機器対応テーブルの設定を行う。
【０１２７】
この場合の、モニタ装置１００および接続先設定部５０の動作は次の通りである。
【０１２８】
視聴者は、接続先設定部５０を操作して接続機器対応テーブルの設定を行う旨の指令信号ｓ１をモニタ装置１００内部の入力判別装置２０へ送信する。ここで、入力判別装置２０は、接続先設定時におけるＯＳＤに関する情報を記憶部４０から読み込み、指令信号ｎ７としてＯＳＤ回路６０へ出力する。ＯＳＤ回路６０は、指令信号ｎ７に基づくグラフィック信号を映像合成回路７１へ出力する。それにより、映像出力回路７２を通じて映像表示装置７３に図７の接続機器設定画面が表示される。
【０１２９】
図７に示す接続機器設定画面においては、５行２列の表が示され、各々の欄内に「ビデオ１」，「ビデオ２」，「ビデオ３」および「色差ビデオ１」，「色差ビデオ２」とが表示されている。このとき、左欄に表示される「ビデオ１」，「ビデオ２」，「ビデオ３」および「色差ビデオ１」，「色差ビデオ２」は接続機器を識別する上での基準となる。
【０１３０】
例えば、図１のモニタ装置１００に対して、視聴者は、アナログ端子ＡＰ１に接続されている記録再生装置２００を「ビデオ１」と認識し、アナログ端子ＡＰ２に接続されている記録再生装置３００を「ビデオ２」と認識する。このように、左欄に表示される「ビデオ１」，「ビデオ２」，「ビデオ３」および「色差ビデオ１」，「色差ビデオ２」の表示は、モニタ装置１００が有するアナログ端子に対応するものである。なお、図７の接続機器設定画面においては、モニタ装置１００の備える各種端子の数により行数および列数が定まっている。それゆえ、モニタ装置１００の備える端子の数に応じて行数および列数が異なる。
【０１３１】
図７の例によれば、モニタ装置１００は、３つのピン端子（映像信号用のピン端子１つと音声信号用のピン端子２つ）からなる３つの通常アナログ端子およびＤ端子（色差信号の入出力用端子）と呼ばれるアナログ端子を有する。モニタ装置１００は、通常のアナログ端子に接続される記録再生装置を「ビデオ１」，「ビデオ２」または「ビデオ３」として表示し、Ｄ端子に接続される記録再生装置を「色差ビデオ１」および「色差ビデオ２」として表示する。
【０１３２】
右欄に表示される「ビデオ１」，「ビデオ２」，「ビデオ３」および「色差ビデオ１」，「色差ビデオ２」の表示は、視聴者が接続先設定部５０を操作することにより変更される。右欄に表示される「ビデオ１」，「ビデオ２」，「ビデオ３」および「色差ビデオ１」，「色差ビデオ２」の変更についての詳細は後述する。
【０１３３】
図８は、接続機器の設定対象を決定する場合の画面表示の一例を示す図である。視聴者は、図７に示す接続機器設定画面において、接続機器の設定対象を決定する。例えば、アナログ端子ＡＰ１に接続されている記録再生装置２００を設定対象とする場合、設定対象となる左欄のビデオ１がハイライト表示（強調表示）される。
【０１３４】
この場合の、モニタ装置１００および接続先設定部５０の動作は次の通りである。
【０１３５】
視聴者は、図７に示された接続機器設定画面より自己の設定したい接続機器を選択する。このとき、視聴者は、接続先設定部５０により例えば「ビデオ１」の接続機器設定を行いたい旨を示す指令信号を入力判別装置２０へ送信する。入力判別装置２０は、接続機器の設定対象が「ビデオ１」であることを認識し、図７に示す接続機器設定画面のうち左欄の「ビデオ１」の表示をハイライト表示にすることを示す指令信号ｎ７をＯＳＤ回路６０へ出力する。ＯＳＤ回路６０に入力された指令信号ｎ７に基づいてグラフィック信号が映像合成回路７１へ出力される。それにより、映像表示装置７３は、図８に示すように左欄の「ビデオ１」をハイライト表示する。
【０１３６】
ここで、記録再生装置２００からのデジタル信号ＤＤ１に「Ｄ−ＶＨＳ１」と言うラベルが設定され、記録再生装置３００からのデジタル信号ＤＤ２に「Ｄ−ＶＨＳ２」と言うラベルが設定されているものとする。
【０１３７】
図９および図１０は、接続機器と再生信号との対応関係を決定する場合の画面表示の一例を示す図である。視聴者は、接続機器の設定対象を決定した後、アナログ端子に接続されている接続機器とその接続機器より入力される再生信号との対応関係を決定する。例えば、アナログ端子ＡＰ１に接続されている記録再生装置２００を設定対象としている場合、接続機器と再生信号との対応関係の設定時には、図８の状態で右欄の「ビデオ１」がハイライト表示となる。そして、視聴者は、接続先設定部５０により右欄のビデオ１の表示を切換えてアナログ端子ＡＰ１に接続されている接続機器とその接続機器より入力される再生信号との対応関係を決定する。図９は、アナログ端子ＡＰ１に接続されている記録再生装置２００と「Ｄ−ＶＨＳ１」というラベルが設定されたデジタル信号ＤＤ１とを対応させた場合の映像表示装置７３の画面表示を示している。
【０１３８】
この場合の、モニタ装置１００および接続先設定部５０の動作は次の通りである。
【０１３９】
モニタ装置１００にデジタル端子を介して接続される接続機器は、自己を識別するための信号をモニタ装置１００へ送信している。
【０１４０】
図８に示す接続機器設定画面の状態において、入力判別装置２０はデジタル切換装置ＳＷ２に入力されるデジタル信号の付帯情報の内容を示す信号ｒ２を判別する。
【０１４１】
入力判別装置２０は、デジタル信号の付帯情報の内容を示す信号ｒ２により上記左欄の「ビデオ１」が「Ｄ−ＶＨＳ１」または「Ｄ−ＶＨＳ２」のいずれかに対応付け可能であると判別する。そして、入力判別装置２０は、視聴者の接続先設定部５０の操作に伴い、ＯＳＤ回路６０に対し「Ｄ−ＶＨＳ１」または「Ｄ−ＶＨＳ２」を表示する旨の信号を出力する。
【０１４２】
ここで、視聴者が接続機器設定画面を確認し、接続先設定部５０を操作して上記左欄の「ビデオ１」に「Ｄ−ＶＨＳ１」というラベルが設定されたデジタル信号ＤＤ１を対応付ける旨の信号を入力判別装置２０へ送信した場合を想定する。入力判別装置２０は、上述の通りＯＳＤ回路６０に対し「Ｄ−ＶＨＳ１」を表示する旨の信号を出力する。これにより、接続機器設定画面においては、図９に示すように、左欄の「ビデオ１」およびこれに対応する右欄の「Ｄ−ＶＨＳ１」がハイライト表示される。
【０１４３】
以上において、接続機器設定は必ずしも映像表示装置７３に表示される接続機器設定画面に基づき行われる必要はなく、接続先設定部５０に上記接続機器設定画面を表示可能な表示装置を設けたり、上記接続機器設定画面に基づく接続機器設定用のスイッチ部などを設けてもよい。
【０１４４】
上記の後、入力判別装置２０は、視聴者により決定された接続機器設定画面に基づき接続機器対応テーブルを作成し、記憶部４０へ出力する。記憶部４０は、入力された接続機器対応テーブルを記憶する。以上の動作により上記「ビデオ１」について接続機器と再生信号との対応関係の設定が完了する。
【０１４５】
次に、図１０においては、視聴者は左欄の「ビデオ２」に対し「Ｄ−ＶＨＳ２」と言うラベルが設定されたデジタル信号ＤＤ２を対応付けている。この場合の接続機器と再生信号との対応関係の設定は、上述の左欄の「ビデオ１」に対する「Ｄ−ＶＨＳ１」についての接続機器と再生信号との対応関係の設定と同様に行われる。上記左欄の「ビデオ１」，「ビデオ２」の設定が行われることにより作成される接続機器対応テーブルは図６に示す通りである。
【０１４６】
このようにして、入力判別装置２０は、図６の接続機器対応テーブルから「ビデオ１」として表示されるアナログ端子ＡＰ１に入力されるアナログ信号ＡＤ１と「Ｄ−ＶＨＳ１」というラベルが設定されたデジタル信号ＤＤ１とが対応付けられていること、および「ビデオ２」として表示されるアナログ端子ＡＰ２に入力されるアナログ信号ＡＤ２と「Ｄ−ＶＨＳ２」というラベルが設定されたデジタル信号ＤＤ２とが対応付けられていることを認識することができる。なお、通常は、アナログ端子に接続される接続機器からのアナログ信号と、同じ接続機器からのデジタル信号とが対応付けられるが、アナログ端子に接続される接続機器からのアナログ信号と、他の接続機器からのデジタル信号とが対応付けられてもよい。
【０１４７】
例えば、一の接続機器がモニタ装置１００のアナログ端子のみに接続され、他の接続機器がモニタ装置１００のデジタル端子のみに接続されている場合、アナログ端子に接続される接続機器からのアナログ信号を他の接続機器からのデジタル信号に対応付けてもよい。この場合、モニタ装置１００は、一の接続機器および他の接続機器を同じ接続機器と認識する。
【０１４８】
以下に、本発明に係る接続先設定プログラムについて説明する。
本実施の形態に係る接続先設定プログラムは記憶部４０に格納されている。そして、入力判別装置２０は接続先設定プログラムに基づき各種動作を行う。
【０１４９】
以下に、接続先設定プログラムに基づく入力判別装置２０の動作を図１１および図１２に基づき説明する。
【０１５０】
図１１および図１２は、入力判別装置２０の動作を示すフローチャートである。
【０１５１】
初めに、入力判別装置２０は、入力切換装置１０より再生対象機器となる記録再生装置が指定されたか否かを判別する（ステップＳ１）。
【０１５２】
入力切換装置１０より再生対象機器となる記録再生装置が指定された場合、入力判別装置２０は、記録再生装置の指定に基づく接続機器情報を記憶部４０に記憶し（ステップＳ２）、記憶部４０に記憶されている接続機器対応テーブルより記憶された接続機器情報に対応したアナログ端子とデジタル信号とを選択する（ステップＳ３）。
【０１５３】
入力切換装置１０より再生対象機器となる記録再生装置が指定されない場合、入力判別装置２０は、後述のステップＳ４の動作を行う。
【０１５４】
入力判別装置２０は、上記に示す動作の後、選択されたアナログ端子へのアナログ信号およびデジタル信号の入力状態を調べる（ステップＳ４）。入力切換装置１０より再生対象機器となる記録再生装置が指定されない場合は、事前に選択されたアナログ端子へのアナログ信号およびデジタル信号の入力状態を調べる。
【０１５５】
入力判別装置２０は、選択されたアナログ端子にアナログ信号の入力があるか否かを判別する（ステップＳ１１）。
【０１５６】
入力判別装置２０は、選択されたアナログ端子にアナログ信号の入力があると判別した場合、選択されたアナログ端子から入力されたアナログ信号を出力するようにアナログ切換装置ＳＷ１へ指令し（ステップＳ１２）、一方のアナログポートＡＰ３から入力されたアナログ信号を出力するようにアナログデジタル切換装置ＳＷ３へ指令する（ステップＳ１３）。その後、入力判別装置２０は再び上記ステップＳ１の動作を行う。
【０１５７】
一方、入力判別装置２０は、選択されたアナログ端子にアナログ信号の入力がないと判別した場合、選択されたデジタル信号の入力があるか否かを判別する（ステップＳ２１）。
【０１５８】
入力判別装置２０は、選択されたデジタル信号の入力があると判別した場合、選択されたデジタル信号を出力するようにデジタル切換装置ＳＷ２へ指令し（ステップＳ２２）、他方のアナログポートＤＰ３から入力されたデコーダで複合化されたアナログ信号を出力するようにアナログデジタル切換装置ＳＷ３へ指令する（ステップＳ２３）。その後、入力判別装置２０は再び上記ステップＳ１の動作を行う。
【０１５９】
入力判別装置２０は、選択されたデジタル信号の入力がないと判別した場合、アナログデジタル切換装置ＳＷ３に無入力状態を指令する（ステップＳ３０）。その後、入力判別装置２０は再び上記ステップＳ１の動作を行う。
【０１６０】
以上に示す接続先設定プログラムにおいて、デジタル信号の入力があるか否かを判別するステップＳ２１〜Ｓ２３の動作はアナログ端子にアナログ信号の入力があるか否かを判別するステップＳ１１〜Ｓ１３の動作の前に行われてもよい。
【０１６１】
図１３は、入力される再生信号の判別順序を示す模式図である。
視聴者が再生対象機器を順次切換える場合、入力判別装置２０は再生信号の判別を以下のように行う。
【０１６２】
視聴者が入力切換装置１０により記録再生装置２００を再生対象機器として指定した場合、入力判別装置２０は接続機器情報をＲ１として判別し、記録再生装置２００からアナログ端子ＡＰ１に入力されるアナログ信号ＡＤ１およびデジタル信号ＤＤ１について上記ステップＳ１１〜Ｓ１３およびステップＳ２１〜Ｓ２３の動作を行う。
【０１６３】
その後、視聴者が入力切換装置１０により記録再生装置３００を再生対象機器として指定した場合、入力判別装置２０は接続機器情報をＲ２として判別し、記録再生装置３００からアナログ端子ＡＰ２に入力されるアナログ信号ＡＤ２およびデジタル信号ＤＤ２について上記ステップＳ１１〜Ｓ１３およびステップＳ２１〜Ｓ２３の動作を行う。
【０１６４】
以上のように、視聴者が入力切換装置１０により再生対象機器を順次切換えることにより、入力判別装置２０は複数の接続機器に対し個別に上記ステップＳ１１〜Ｓ１３およびステップＳ２１〜Ｓ２３の動作を行う。そして、モニタ装置１００は、再生対象機器より入力される再生信号をアナログ信号やデジタル信号などの信号形式によらず映像表示および音声出力することが可能となる。
【０１６５】
図１４は、図１に示すモニタ装置の複数の記録再生装置との他の接続例を示すブロック図である。
【０１６６】
ここで、モニタ装置１００は記録再生装置２００および記録再生装置３００と接続されているが、その接続方法が図１の場合と異なる。
【０１６７】
記録再生装置２００は、アナログ信号専用のケーブルおよびデジタル信号専用のケーブルによりモニタ装置１００と接続されている。つまり、記録再生装置２００は、ケーブルを介してモニタ装置１００のアナログ端子ＡＰ１およびデジタル端子ＤＰ１に直接接続されている。一方、記録再生装置３００は、アナログ信号専用のケーブルによりモニタ装置１００と接続されており、デジタル信号専用のケーブルにより記録再生装置２００と接続されている。つまり、記録再生装置３００は、ケーブルを介してモニタ装置１００のアナログ端子ＡＰ２に直接接続され、記録再生装置２００を介してモニタ装置１００のデジタル端子ＤＰ１に接続されている。
【０１６８】
図１４に示す接続例によれば、モニタ装置１００に入力される記録再生装置３００の再生信号の出力経路は図１に示す接続状態の場合と以下の点で異なる。
【０１６９】
図１４に示す接続状態において、記録再生装置３００より再生信号としてデジタル信号ＤＤ２が出力される場合を想定する。この場合、デジタル信号ＤＤ２は、デジタル信号専用のケーブルを介して記録再生装置２００へ送信される。そこで、デジタル信号ＤＤ２を受信した記録再生装置２００は、モニタ装置１００のデジタル端子ＤＰ１に接続されているデジタル信号専用のケーブルを介してデジタル信号ＤＤ２をモニタ装置１００へ送信する。
【０１７０】
このように、デジタル信号ＤＤ２は、記録再生装置３００とモニタ装置１００とが直接的に接続されなくても間接的に接続されることにより記録再生装置３００からモニタ装置１００へと送信される。そして、モニタ装置１００は、入力されるデジタル信号に付帯する信号を判別して上述の各種動作を行う。
【０１７１】
図１５は、図１に示すモニタ装置と１つの記録再生装置との接続例を示すブロック図である。
【０１７２】
ここで、モニタ装置１００には、記録再生装置２００が単独で接続されている。記録再生装置２００は、アナログ信号専用のケーブルおよびデジタル信号専用のケーブルによりモニタ装置１００と接続されている。
【０１７３】
図１５に示す接続例においても、モニタ装置１００は、視聴者による接続機器設定および再生対象機器の指定に基づき上記に示す各種動作を行う。つまり、視聴者が図７に示す接続先設定画面を参照し、記録再生装置２００における接続機器設定を行うことにより、入力判別装置２０は図６に示すような接続機器対応テーブルを作成し、記憶部４０へ記憶させる。その後、視聴者が記録再生装置２００を再生対象機器として指定することにより、入力判別装置２０は図１１および図１２に示す接続先設定プログラムを実行する。接続先設定プログラムにより再生対象機器として判別された記録再生装置２００からの再生信号は、上述の通り映像表示系および音声出力系の回路へ出力され、映像表示および音声出力がおこなわれる。
【０１７４】
上記に示すように、モニタ装置１００は、接続機器が１つである場合においても視聴者による接続機器と再生信号との対応関係の設定および再生対象機器の指定により、接続対象機器からの再生信号を信号形式によらず映像表示および音声出力することが可能である。
【０１７５】
上記本実施の形態において、モニタ装置１００の有するデジタル端子としては、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４端子や、ＵＳＢ（Ｕｎｉｖｅｒｓａｌ  Ｓｅｒｉａｌ  Ｂｕｓ）２．０端子などが挙げられる。その他、モニタ装置１００は、上述のＤ端子やＳ−ＶＨＳ（Ｓｅｐａｒａｔｅ  −  Ｖｉｄｅｏ  Ｈｏｍｅ  Ｓｙｓｔｅｍ：日本ビクタ―株式会社登録商標）の規格に準拠する端子を備えてもよい。
【０１７６】
モニタ装置１００は、再生対象機器として指定された接続機器からの再生信号の入力がない場合で、他の接続機器からの再生信号の入力を判別した場合に、図１６に示すような画面表示を行ってもよい。図１６において、モニタ装置１００は再生対象機器である記録再生装置２００から再生信号が入力されていないためブラックアウトの状態となっているが、画面の一部に他の接続機器である記録再生装置３００からの再生信号が入力されていることが表示されている。そして、視聴者は、表示された他の接続機器が再生信号を出力していることを認識することができ、これに基づき入力切換装置１０の操作を行うことができる。
【０１７７】
また、上記実施の形態においては、モニタ装置１００に複数の記録再生装置が接続されている場合に、入力判別装置２０は１つの再生対象機器に対し上記ステップＳ１１〜Ｓ１３およびステップＳ２１〜Ｓ２３の動作を行っているが、同時に、他の接続機器からの再生信号の入力の有無を判別してもよい。例えば、上述の図４の状態において、入力判別装置２０は、アナログ切換装置ＳＷ１より入力される信号ｒ１またはデジタル切換装置ＳＷ２より入力されるデジタル信号に付帯される信号により再生対象機器からの再生信号がなく他の接続機器から再生信号の入力があるか否かを判別してもよい。この場合、再生対象機器として指定されていない他の接続機器からの再生信号の入力がある場合に、その再生信号を映像表示系および音声出力系に出力することにより、映像表示および音声出力を行ってもよい。
【０１７８】
上記本実施の形態において、入力判別装置２０は、モニタ装置１００に複数の接続機器が接続されている場合に、接続機器対応テーブルを作成し、接続機器対応テーブルを参照することにより再生対象機器からの再生信号を判別している。上記実施の形態において、接続機器対応テーブルはアナログ端子より入力されるアナログ信号に基づく再生信号とデジタル信号に基づく再生信号との対応関係のみで設定されているが、接続機器対応テーブルに設定可能な対応関係はアナログ端子より入力されるアナログ信号に基づく再生信号とデジタル信号に基づく再生信号とに限られる必要はない。
【０１７９】
例えば、モニタ装置１００の備える端子の形式がＤ端子やＳ−ＶＨＳの規格に準拠する端子など複数存在する場合は、デジタル信号に基づく再生信号とＤ端子より入力される色差信号に基づく再生信号とを接続機器対応テーブルにより対応付けたり、デジタル信号に基づく再生信号とＳ−ＶＨＳの規格に準拠する端子より入力される再生信号とを接続機器対応テーブルにより対応付けてもよい。これにより、視聴者は多くの再生信号の切換を容易に行うことが可能となる。
【０１８０】
本実施の形態においては、一または複数の機器が記録再生装置２００，３００に相当し、組み合わせ設定手段が接続先設定部５０に相当し、機器指定手段が入力切換装置１０に相当し、表示手段が映像表示装置７３に相当する。また、再生信号選択手段が入力判別装置２０、アナログ切換装置ＳＷ１、デジタル切換装置ＳＷ２およびアナログデジタル切換装置ＳＷ３に相当し、入力判別手段および制御手段が入力判別装置２０に相当する。さらに、本実施の形態では、第１の端子がアナログ端子ＡＰ１，ＡＰ２に相当し、第２の端子がデジタル端子ＤＰ１，ＤＰ２に相当し、復号手段がデコーダ３０に相当し、識別情報設定手段が入力判別装置２０、記憶部４０、ＯＳＤ回路６０に相当する。
【０１８１】
【発明の効果】
本発明によれば、モニタ装置は、同じ機器からの再生信号の組み合わせを認識することができるので、使用者が選択した機器からの再生信号が同じ機器からの他の再生信号に切換った場合でも、切換った再生信号を自動的に表示することができる。したがって、使用者は、再生対象とすべき一の機器をモニタ装置に認識させるだけで、モニタ装置に対し特定の再生信号を表示すべき指示をすることなく、所望の機器からの再生信号に基づく映像表示を容易に得ることができる。
【図面の簡単な説明】
【図１】本発明の一実施の形態に係るモニタ装置の構成および複数の記録再生装置との一接続例を示すブロック図
【図２】再生信号の信号経路とそれに基づく画像表示の一例を示す模式図
【図３】再生信号の信号経路とそれに基づく画像表示の一例を示す模式図
【図４】再生信号の信号経路とそれに基づく画像表示の一例を示す模式図
【図５】再生信号の信号経路とそれに基づく画像表示の一例を示す模式図
【図６】記憶部に記憶される接続機器対応テーブルの一例を示す図
【図７】接続機器の再生信号との対応関係を設定する場合の接続機器設定画面の一例を示す図
【図８】接続機器の設定対象を決定する場合の画面表示の一例を示す図
【図９】接続機器の対応関係を決定する場合の画面表示の一例を示す図
【図１０】接続機器の対応関係を決定する場合の画面表示の一例を示す図
【図１１】入力判別装置の動作を示すフローチャート
【図１２】入力判別装置の動作を示すフローチャート
【図１３】入力される再生信号の判別順序を示す模式図
【図１４】図１に示すモニタ装置の複数の記録再生装置との他の接続例を示すブロック図
【図１５】図１に示すモニタ装置の１つの記録再生装置との接続例を示すブロック図
【図１６】指定している録画再生装置から再生信号の入力がない場合に、他の録画再生装置から再生信号が検出されたときの画面表示の一例を示す模式図
【図１７】ビデオテープの一部にデジタル信号とアナログ信号とが記録されている様子を示す模式図
【図１８】デジタル信号およびアナログ信号に対応するモニタ装置の構成を示すブロック図
【符号の説明】
１０  入力切換装置
２０  入力判別装置
３０  デコーダ
４０  記憶部
５０  接続先設定部
６０  ＯＳＤ回路
７０  映像処理回路
７１  映像合成回路
７２  映像出力回路
７３  映像表示装置
８０  音声処理回路
８１  音声出力回路
８２  音声出力装置
１００  モニタ装置
２００，３００  記録再生装置
ＡＤ１，ＡＤ２  アナログ信号
ＡＰ１，ＡＰ２  アナログ端子
ＡＰ３，ＤＰ３  アナログポート
ＤＤ１，ＤＤ２  デジタル信号
ＤＰ１，ＤＰ２  デジタル端子
Ｒ１，Ｒ２  接続機器情報
ＳＷ１  アナログ切換装置
ＳＷ２  デジタル切換装置
ＳＷ３  アナログデジタル切換装置
ｎ１，ｎ２，ｎ３，ｎ４，ｎ５，ｎ７，ｓ１  指令信号
ｒ１，ｒ２，ｒ３  信号
【図１】
0004040305.tif 000002
【図２】
0004040305.tif 000003
【図３】
0004040305.tif 000004
【図４】
0004040305.tif 000005
【図５】
0004040305.tif 000006
【図６】
0004040305.tif 000007
【図７】
0004040305.tif 000008
【図８】
0004040305.tif 000009
【図９】
0004040305.tif 000010
【図１０】
0004040305.tif 000011
【図１１】
0004040305.tif 000012
【図１２】
0004040305.tif 000013
【図１３】
0004040305.tif 000014
【図１４】
0004040305.tif 000015
【図１５】
0004040305.tif 000016
【図１６】
0004040305.tif 000017
【図１７】
0004040305.tif 000018
【図１８】
0004040305.tif 000019